(57)【要約】【課題】屋外の新鮮な空気を屋内に供給しつつ、塵埃の屋内への侵入及びカビや細菌などの微生物の屋内への侵入を効果的に抑制することのできる給気装置を提供する。【解決手段】  給気装置１は、屋外の空気を吸込口２ａから吸い込み、吸込口２ａから吸い込まれた空気を、除塵フィルター４を通過させることによって除塵し、その後、塩素系除菌液を含浸したフィルター部材５を通過させることによって除菌して吹出口２ｂから屋内に吹き出すように構成されている。前記塩素系除菌液は、次亜塩素酸ナトリウム及び純水を主成分とし、ｐＨ値が９．０〜１１．５であり、かつ、ｐＨ値の経時変化がほとんどない、弱アルカリ性の安定型次亜塩素酸ナトリウム溶液である。【選択図】図１
2020067245.tif 000002
【特許請求の範囲】
【請求項１】
屋外の空気を吸込口から吸い込み、前記吸込口から吸い込まれた空気を、除塵フィルターを通過させることによって除塵し、その後、塩素系除菌液を含浸したフィルター部材を通過させることによって除菌して吹出口から屋内に吹き出すように構成され、
前記塩素系除菌液は、次亜塩素酸ナトリウム及び純水を主成分とし、ｐＨ値が９．０〜１１．５であり、かつ、ｐＨ値の経時変化がほとんどない、弱アルカリ性の安定型次亜塩素酸ナトリウム溶液である、給気装置。
【請求項２】
前記除塵フィルターは、粗い塵埃を捕集する粗塵フィルターと、前記粗塵フィルターの下流側に設けられて微細な塵埃を微細塵フィルターと、を含む、請求項１に記載の給気装置。
【請求項３】
屋外の空気を吸い込むための前記吸込口と屋内に空気を吹き出すための前記吹出口とを有する筐体と、
筐体内に配設されて前記吸込口から前記吹出口に向かう空気流を発生させる送風機と、
前記筐体内における前記送風機の上流側に配設された前記除塵フィルターと、
前記筐体内における前記送風機の下流側に配設された前記フィルター部材と、
前記フィルター部材に前記塩素系除菌液を含浸させる含浸装置と、
を含む、
請求項１又は２に記載の給気装置。
【請求項４】
前記除塵フィルター及び前記フィルター部材は、前記筐体に対して着脱可能に構成されている、請求項３に記載の給気装置。
【請求項５】
前記フィルター部材は、平板状に形成されて前記筐体内に固定配置されている、請求項３又は４に記載の給気装置。
【請求項６】
前記フィルター部材は、幅広の無端ベルト状に形成されると共に前記筐体内において上下方向に離間して設けられた一対のローラに張架され、前記一対のローラの少なくとも一方が回転することによって当該ローラと同方向に回転するように構成されている、請求項３又は４に記載の給気装置。
【請求項７】
前記含浸装置は、
前記塩素系除菌液を貯留する除菌液タンクと、
前記筐体内に配設され、上部が開口すると共に前記フィルター部材の下部が浸される所定量の前記塩素系除菌液を貯留する除菌液容器と、
前記除菌液タンク内の前記塩素系除菌液を前記除菌液容器に供給するポンプと、
を含む、請求項６に記載の給気装置。
【請求項８】
前記含浸装置は、
前記塩素系除菌液を貯留する除菌液タンクと、
前記筐体内に配置され、前記フィルター部材の上部の複数箇所に前記塩素系除菌液を滴下供給する滴下供給部と、
前記除菌液タンク内の前記塩素系除菌液を前記滴下供給部に供給するポンプと、
を含む、請求項３〜６のいずれか一つに記載の給気装置。
【請求項９】
前記含浸装置は、
前記塩素系除菌液を貯留する除菌液タンクと、
前記筐体内に配置され、前記送風機と前記フィルター部材との間の空間に又は前記フィルター部材に向けて前記塩素系除菌液を噴霧する噴霧部と、
前記除菌液タンク内の前記塩素系除菌液を前記噴霧部に供給するポンプと、
を含む、請求項３〜６のいずれか一つに記載の給気装置。
【発明の詳細な説明】
【技術分野】
【０００１】
本発明は、屋外の新鮮な空気を屋内に供給する給気装置に関し、特に、食品工場や業務用厨房などに用いられる屋内換気用の給気装置に関する。
【背景技術】
【０００２】
食品工場や業務用厨房においては、加熱調理によって発生する調理排気や燃焼排気などを排出して作業環境の悪化を防止する必要がある。このため、多くの食品工場や業務用厨房には強制換気設備が設けられている。このような強制換気設備は、屋内（室内を含む）の空気を屋外に排出する排気装置と、屋外の空気（外気）を屋内に供給する給気装置とを含み、前記調理排気や前記燃焼排気などを屋外に排出すると共に、屋外の新鮮な空気を屋内に供給して屋内が負圧になることを防止するように構成されているのが一般的である。また、前記給気装置は、通常、外気を屋内に送り込むための送風機及び外気に含まれる塵埃などを捕集するフィルターを備えている。
【０００３】
なお、前記食品工場や前記業務用厨房を対象とするものではないが、特許文献１には、送風機及びフィルターを備えた室内換気用の給気装置が記載されている。
【先行技術文献】
【特許文献】
【０００４】
【特許文献１】特開２０１５−９８９５０号公報
【発明の概要】
【発明が解決しようとする課題】
【０００５】
ところで、前記食品工場や前記業務用厨房などにおいては、塵埃だけではなく、カビや細菌などの微生物の屋内への侵入を防止することが望まれる。この場合、前記給気装置が備える前記フィルターとして、ＨＥＰＡやＵＬＰＡなどの超高性能フィルターを用いることが考えられる。
【０００６】
しかし、前記超高性能フィルターでは、カビや細菌がフィルター内で増殖し、増殖したカビや細菌がフィルター表面に表出し、その結果、カビや細菌が屋内に侵入してしまうおそれがあった。
【０００７】
そこで、本発明は、屋外の新鮮な空気を屋内に供給しつつ、塵埃の屋内への侵入及びカビや細菌などの微生物の屋内への侵入を効果的に抑制することのできる給気装置を提供することを目的とする。
【課題を解決するための手段】
【０００８】
本発明の一側面によると、給気装置が提供される。前記給気装置は、屋外の空気を吸込口から吸い込み、前記吸込口から吸い込まれた空気を、除塵フィルターを通過させることによって除塵し、その後、塩素系除菌液を含浸したフィルター部材を通過させことによって除菌して吹出口から屋内に吹き出すように構成されている。前記塩素系除菌液は、次亜塩素酸ナトリウム及び純水を主成分とし、ｐＨ値が９．０〜１１．５であり、かつ、ｐＨ値の経時変化がほとんどない、弱アルカリ性の安定型次亜塩素酸ナトリウム溶液である。
【発明の効果】
【０００９】
前記給気装置において、前記吸込口から吸い込まれた空気（外気）中の塵埃は、前記除塵フィルターを通過することによって除去される。また、前記除塵フィルターを通過した空気は、前記塩素系除菌液を含浸した前記フィルター部材を通過する際に前記塩素系除菌液と接触する。前記塩素系除菌液として用いられた前記弱アルカリ性の安定型次亜塩素酸ナトリウム溶液は、カビや細菌などの微生物に接触すると当該微生物を速やかに不活性化させる。したがって、前記除塵フィルターを通過した空気は、前記塩素系除菌液を含浸した前記フィルター部材を通過することによって効果的に除菌され、しかも、前記フィルター部材にカビや細菌などの微生物が残存したり、増殖したりすることもない。そして、前記塩素系除菌液を含浸した前記フィルター部材を通過することによって除菌された後の空気が前記吹出口から屋内に吹き出される。このため、前記給気装置によれば、屋外の新鮮な空気を屋内に供給しつつ、塵埃の屋内への侵入及びカビの胞子や細菌などの微生物に屋内への侵入を効果的に抑制することができる。なお、前記弱アルカリ性の安定型次亜塩素酸ナトリウム溶液は、刺激臭がなく、人体に対して安全であることが確認されている。
【図面の簡単な説明】
【００１０】
【図１】第１実施形態に係る給気装置の概略構成を示す側面断面図である。
【図２】第２実施形態に係る給気装置の概略構成を示す側面断面図である。
【図３】前記第２実施形態に係る給気装置におけるフィルター部材、駆動ローラ及び従動ローラを示す図である。
【図４】第３実施形態に係る給気装置の概略構成を示す側面断面図である。
【図５】第４実施形態に係る給気装置の概略構成を示す側面断面図である。
【発明を実施するための形態】
【００１１】
以下、本発明の実施形態について図面を参照して説明する。
【００１２】
［第１実施形態］
図１は、第１実施形態に係る給気装置１の概略構成を示す側面断面図である。本実施形態に係る給気装置１は、屋外の空気（新鮮な空気）を屋内（室内を含む。以下同じ。）に供給する装置であって、屋内の空気を屋外に排出する排出装置（図示省略）と共に用いられて、食品工場や業務用厨房などの強制換気設備を構成する。すなわち、本実施形態に係る給気装置１は、屋内換気用の給気装置である。図１に示されるように、給気装置１は、筐体２と、送風機３と、除塵フィルター４と、フィルター部材５と、含浸装置６と、を含む。
【００１３】
筐体２は、角筒状に形成され、屋内外を仕切る壁部（主に外壁）Ｗに取り付けられている。筐体２は、壁部Ｗを貫通しており、屋外に位置する筐体２の一端側（図１における左端側）の開口は、屋外の空気を吸い込むための吸込口２ａを構成し、屋内に位置する筐体２の他端側（図１における右端側）の開口は、屋内に空気を吹き出すための吹出口２ｂを構成している。
【００１４】
筐体２の前記一端（吸込口２ａ側端部）には、主に雨の吹き込みを防止する屋外フード７が取り付けられ、屋外フード７の筐体２側と反対側の端部（開口端）には、主に虫の侵入を防止する防虫ネット８が着脱可能に取り付けられている。また、筐体２の前記他端（吹出口２ｂ側端部）には、ルーバー９が着脱可能に取り付けられている。
【００１５】
送風機３は、筐体２内における筐体２の長さ方向の中間部に配置されている。送風機３は、ファン３１とファン３１を回転駆動する電動モーター３２とを含み、電動モーター３２の作動によってファン３１が回転し、これによって吸込口２ａから吹出口２ｂに向かう空気流を発生させる。電動モーター３２の作動、すなわち、送風機３の作動は、給気装置１の制御部（図示省略）によって制御される。
【００１６】
除塵フィルター４は、筐体２内における吸込口２ａと送風機３との間（すなわち、送風機３の前記空気流上流側）に前記空気流を遮るように配設されている。本実施形態において、除塵フィルター４は、空気中の粗い塵埃を捕集する粗塵フィルター４１と、粗塵フィルター４１の下流側に配設されて空気中の微細な塵埃を捕集する微細塵フィルター４２と、を含む。粗塵フィルター４１は、例えば粒子径が１０μｍを超える塵埃を捕集するいわゆるプレフィルターであり得、微細塵フィルター４２は、例えば粒子径が０．３〜１０μｍの塵埃を捕集するいわゆる高性能フィルター又は中性能フィルターであり得る。
【００１７】
除塵フィルター４（粗塵フィルター４１及び微細塵フィルター４２）は、筐体２に対して着脱可能に構成されている。本実施形態において、除塵フィルター４は、図示省略の枠体に保持されて除塵ユニットを構成している。そして、前記除塵ユニットが筐体２の側面の屋外に位置する部位に形成された差し込み口（図１において一点鎖線で示す。）２ｃから筐体２内に挿入されることによって除塵フィルター４が筐体２内に取り付けられ、前記除塵ユニットが差し込み口２ｃから引き出されることによって除塵フィルター４が筐体２から取り外されるように構成されている。
【００１８】
フィルター部材５は、通気性及び吸水性を有する多孔質材で平板状の外観を有して形成されている。フィルター部材５は、所定の厚みを有した不織布であり得る。フィルター部材５は、筐体２内における送風機３と吹出口２ｂとの間（すなわち、送風機３の前記空気流下流側）に前記空気流を遮るように配設されている。なお、フィルター部材５の材質は、後述する塩素系除菌液（弱アルカリ性の安定型次亜塩素酸ナトリウム溶液）によって変質等しない材質であり、例えば、ポリエステル、ポリプロピレン及びポリエチレンが該当する。
【００１９】
フィルター部材５は、除塵フィルター４と同様、筐体２に対して着脱可能に構成されている。本実施形態において、フィルター部材５は、ルーバー９が取り外された状態の吹出口２ｂから筐体２内に挿入されて筐体２の両内側面に対向して形成された一対のフィルター装着部（図示省略）に装着されることによって筐体２に取り付けられ、前記一対のフィルター装着部から外されて吹出口２ｂから筐体２外に取り出されることによって筐体２から取り外されるように構成されている。
【００２０】
含浸装置６は、フィルター部材５に塩素系除菌液を含浸させる装置である。本実施形態において、含浸装置６は、フィルター部材５に前記塩素系除菌液を滴下して供給することによってフィルター部材５に前記塩素系除菌液を含浸させるよう構成されている。
【００２１】
含浸装置６は、前記塩素系除菌液を貯留する除菌液タンク６１と、フィルター部材５に前記塩素系除菌液を滴下して供給する滴下供給部６２と、除菌液タンク６１と滴下供給部６２とを接続する配管６３と、配管６３の途中に設けられて除菌液タンク６１内の前記塩素系除菌液を滴下供給部６２に供給する電動ポンプ６４と、滴下供給部６２によって滴下供給された前記塩素系除菌液のうちフィルター部材５に含浸されなかった余剰の前記塩素系除菌液を受ける液受け部６５と、を含む。
【００２２】
除菌液タンク６１は、遮光性を有する材料で形成されており、屋内の所定位置に配置されている。本実施形態において、除菌液タンク６１は、前記塩素系除菌液が補充され得るように構成されている。もちろん、除菌液タンク６１は、貯留する前記塩素系除菌液がなくなったときに新たな除菌液タンク６１に交換されるように構成されてもよい。
【００２３】
滴下供給部６２は、筐体２内においてフィルター部材５の上方に配置されている。本実施形態において、滴下供給部６２は、電動ポンプ６４によって除菌液タンク６１から供給される前記塩素系除菌液を一時的に貯留可能な一時貯留部を有し、前記一時貯留部の底部に設けられた複数の孔部又はノズル部（図示省略）を介して、フィルター部材５の上面の複数箇所に前記塩素系除菌液を滴下して供給するように構成されている。
【００２４】
電動ポンプ６４は、予め設定された所定量の前記塩素系除菌液を滴下供給部６２に供給するように構成されている。電動ポンプ６４の作動は、給気装置１の前記制御部によって制御される。
【００２５】
液受け部６５は、筐体２内においてフィルター部材５の下方に配置されている。液受け部６５に貯留された余剰の前記塩素系除菌液は、毛細管現象を利用してフィルター部材５に再供給されてもよいし、図示省略の排水管を介して外部に排出されてもよい。
【００２６】
ここで、フィルター部材５に含浸させる前記塩素系除菌液について具体的に説明する。本実施形態においては、弱アルカリ性の安定型次亜塩素酸ナトリウム溶液が前記塩素系除菌液として用いられている。
【００２７】
「弱アルカリ性の安定型次亜塩素酸ナトリウム溶液」とは、次亜塩素酸ナトリウム及び純水（ＲＯ−イオン交換水）を主成分とし、ｐＨ値が９．０〜１１．５であり、かつ、ｐＨ値の経時変化がほとんどない液体のことをいう。また、「ｐＨ値の経時変化がほとんどない」は、「ｐＨ値が実質的に経時変化しない」ということもでき、例えば、次亜塩素酸水（酸性）や次亜塩素酸ナトリウム希釈液（アルカリ性）などの従来の塩素系除菌液と比較して、ｐＨ値の経時変化が著しく少ないことを意味する。
【００２８】
なお、特に制限されるものではないが、前記弱アルカリ性の安定型次亜塩素酸ナトリウム溶液のフィルター部材５における残留塩素濃度は、５０〜２００ｐｐｍであることが好ましい。
【００２９】
前記弱アルカリ性の安定型次亜塩素酸ナトリウム溶液は、通常の保管条件（遮光及び室温環境）の下でその有効塩素濃度が長期間（２年以上）にわたって維持されることが確認されている。また、前記弱アルカリ性の安定型次亜塩素酸ナトリウム溶液は、その有効塩素濃度が１０ｐｐｍ程度であっても優れた除菌機能を有すること及び除菌速度が次亜塩素酸水（すなわち、次亜塩素酸（ＨＯＣＬ））とほぼ同等であることが確認されている。例えば、前記弱アルカリ性の安定型次亜塩素酸ナトリウム溶液は、カビや細菌などの微生物に接触すると、当該微生物を速やかに不活性化させる（除菌する）。さらに、前記弱アルカリ性の安定型次亜塩素酸ナトリウム溶液は、刺激臭がほとんどなく、口や目や鼻に入ったり皮膚に直接触れたりしても安全であることなども確認されている。したがって、前記弱アルカリ性の安定型次亜塩素酸ナトリウム溶液は、特に食品工場や業務用厨房などにおいて、屋内に供給する空気を除菌する除菌液として好適に用いられ得る。
【００３０】
なお、前記弱アルカリ性の安定型次亜塩素酸ナトリウム溶液は、次亜塩素酸水（酸性）と共通する特徴を有していることから、「安定型アルカリ次亜水（次亜塩素酸水）」と称されることもある。
【００３１】
次に、給気装置１の作用を説明する。
給気装置１の前記制御部は、前記排気装置の動作に連動して送風機３（の電動モーター３２）及び含浸装置６の電動ポンプ６４を作動させる。送風機３が作動すると、筐体２内には吸込口２ａから吹出口２ｂに向かう空気流が発生し、これに伴って、屋外の空気が吸込口２ａから筐体２内に吸い込まれる。また、含浸装置６によるフィルター部材５への前記塩素系除菌液の滴下供給が開始される。
【００３２】
吸込口２ａから吸い込まれた空気は、まず、除塵フィルター４を通過することによって除塵される。すなわち、吸込口２ａから吸い込まれた空気は、粗塵フィルター４１及び微細塵フィルター４２をこの順に通過し、これによって、吸込口２ａから吸い込まれた空気中の塵埃が除去される。
【００３３】
次いで、除塵フィルター４を通過した空気は、前記塩素系除菌液を含浸したフィルター部材５を通過することによって除菌される。本実施形態においては、上述のように、前記塩素系除菌液として前記弱アルカリ性の安定型次亜塩素酸ナトリウム溶液が用いられている。また、除塵フィルター４を通過した空気は、フィルター部材５を通過する際に、そこに含浸された前記弱アルカリ性の安定型次亜塩素酸ナトリウム溶液に接触する。これにより、除塵フィルター４を通過した空気中のカビや細菌などの微生物が不活性化される。すなわち、除塵フィルター４を通過した空気が除菌される。
【００３４】
そして、前記塩素系除菌液を含浸したフィルター部材５を通過した空気、すなわち、除塵及び除菌後の空気が吹出口２ｂから屋内に吹き出される。
【００３５】
このように、本実施形態に係る給気装置１は、送風機３の動作によって屋外の空気を吸込口２ａから吸い込み、吸込口２ａから吸い込まれた空気を、除塵フィルター４を通過させることによって除塵し、その後、前記塩素系除菌液（前記弱アルカリ性の安定型次亜塩素酸ナトリウム溶液）を含浸したフィルター部材５を通過させることによって除菌して吹出口２ｂから屋内に吹き出すように構成されている。また、フィルター部材５には前記塩素系除菌液（前記弱アルカリ性の安定型次亜塩素酸ナトリウム溶液）が含浸されており、フィルター部材５内にカビや細菌などの微生物が残存したり、カビや細菌などの微生物が増殖したりすることもない。
【００３６】
このため、本実施形態に係る給気装置１によれば、屋外の新鮮な空気を屋内に供給することができると共に、塵埃の屋内への侵入及びカビや細菌などの微生物の屋内への侵入を効果的に防止することができる。
【００３７】
また、本実施形態に係る給気装置１において、フィルター部材５に含浸された前記塩素系除菌液（前記弱アルカリ性の安定型次亜塩素酸ナトリウム溶液）の一部は、フィルター部材５を通過した空気に含まれて屋内に供給される。このため、本実施形態に係る給気装置１は、屋内空間の除菌にも寄与し得る。
【００３８】
なお、フィルター部材５には含浸装置６によって前記塩素系除菌液が滴下供給されるので、給気装置１が屋外の空気を屋内に供給する間、フィルター部材５は前記塩素系除菌液を含浸した状態に維持される。
【００３９】
ここで、図示は省略するが、滴下供給部６２の前記一時貯留部に、前記一時貯留部内の前記塩素系除菌液の残量を検知する残量検知センサーが設けられてもよい。この場合、給気装置１の前記制御部は、前記残量が下限閾値以下になると電動ポンプ６４を作動させ、前記残量が上限閾値以上になると電動ポンプ６４を停止させるように構成され得る。
【００４０】
［第２実施形態］
図２は、第２実施形態に係る給気装置１０の概略構成を示す側面断面図である。第１実施形態に係る給気装置１（図１）と共通する要素については同一の符号を付してその説明は省略する。
【００４１】
第１実施形態に係る給気装置１と第２実施形態に係る給気装置１０との主な相違点は、第１実施形態に係る給気装置１においてはフィルター部材５が平板状の外観を有して形成されて筐体２内に固定配置されているのに対し、第２実施形態に係る給気装置１０においてはフィルター部材５０が幅広の無端ベルト状に形成されて筐体２内で回転するように構成されていることである。
【００４２】
第２実施形態に係る給気装置１０において、フィルター部材５０は、第１実施形態に係る給気装置１におけるフィルター部材５と同様、通気性及び吸水性を有すると共に前記塩素系除菌液（前記弱アルカリ性の安定型次亜塩素酸ナトリウム溶液）によって変質しない材質で形成される。フィルター部材５０は、不織布製の幅広の無端ベルトであり得る。また、フィルター部材５０は、筐体２内において上下方向に離間して設けられた一対のローラ（駆動ローラ５１及び従動ローラ５２）に張架されている。すなわち、フィルター部材５０は、所定の張力が付与された状態で駆動ローラ５１及び従動ローラ５２に架け渡されている。
【００４３】
具体的には、図３に示されるように、駆動ローラ５１は、円柱状のローラ部５１ａとローラ部５１ａの両端のそれぞれから延びるローラ軸部５１ｂ、５１ｂとを有している。駆動ローラ５１は、その両端のローラ軸部５１ｂ、５１ｂが筐体２の両内側面の上部に対向して形成された一対の第１ローラ装着部（図示省略）に回転可能に組み付けられるようになっている。
【００４４】
同様に、従動ローラ５２は、円柱状のローラ部５２ａとローラ部５２ａの両端のそれぞれから延びるローラ軸部５２ｂ、５２ｂとを有している。従動ローラ５２は、その両端のローラ軸部５２ｂ、５２ｂが筐体２の両内側面の下部に対向して形成された一対の第２ローラ装着部（図示省略）に回転可能に組み付けられるようになっている。
【００４５】
本実施形態においては、あらかじめ駆動ローラ５１及び従動ローラ５２がフィルター部材５０の内側に挿通された状態で、駆動ローラ５１のローラ軸部５１ｂ、５１ｂが前記一対の第１ローラ装着部に組み付けられ、従動ローラ５２のローラ軸部５２ｂ、５２ｂが前記一対の第２ローラ装着部に組み付けられる。これにより、フィルター部材５０、駆動ローラ５１及び従動ローラ５２が筐体２内に取り付けられると共に、フィルター部材５０が駆動ローラ５１のローラ部５１ａ及び従動ローラ５２のローラ部５２ａに張架された状態となる。
【００４６】
また、駆動ローラ５１のローラ軸部５１ｂ、５１ｂを前記一対の第１ローラ装着部から取り外すと共に、従動ローラ５２のローラ軸部５２ｂ、５２ｂを前記一対の第２ローラ装着部から取り外すことによって、フィルター部材５０、駆動ローラ５１及び従動ローラ５２を筐体２から取り外すことができる。
【００４７】
本実施形態において、上述したような、フィルター部材５０、駆動ローラ５１及び従動ローラ５２の取り付け及び取り外しは、ルーバー９が取り外された状態の吹出口２ｂを介して行うことができる。好ましくは、フィルター部材５０、駆動ローラ５１及び従動ローラ５２が一つの枠体に保持されて除菌ユニットを構成すると共に、筐体２内に前記除菌ユニットが装着されるユニット装着部が設けられる。そして、前記除菌ユニットが前記ユニット装着部に対して着脱されるように構成される。
【００４８】
ローラ軸部５１ｂ、５１ｂが前記一対の第１ローラ装着部に組み付けられた駆動ローラ５１は、図示省略のギヤなどを介して筐体２に設けられた電動モーター（図示省略）に連結され、当該電動モーターによって駆動されて回転する。当該電動モーターの作動は、送風機３の電動モーター３２の作動及び含浸装置６の電動ポンプ６４を作動と同様に、給気装置１０の制御部（図示省略）によって制御される。
【００４９】
上述のように、フィルター部材５０は、駆動ローラ５１のローラ部５１ａ及び従動ローラ５２のローラ部５２ａに張架されている（所定の張力が付与された状態で架け渡されている）。また、本実施形態において、駆動ローラ５１のローラ部５１ａの外周面及び従動ローラ５２のローラ部５２ａの外周面には、フィルター部材５０の滑りを防止するための滑り止め加工が施されている。このため、駆動ローラ５１が回転すると、フィルター部材５０は、駆動ローラ５１のローラ部５１ａ及び従動ローラ５２のローラ部５２ａに対して滑ることなく、駆動ローラ５１と同方向に回転する。
【００５０】
そして、第２実施形態に係る給気装置１０の制御部（図示省略）は、前記排気装置の動作に連動して送風機３（の電動モーター３２）、駆動ローラ５１を回転駆動する前記電動モーター及び含浸装置６の電動ポンプ６４を作動させる。
【００５１】
これにより、第２実施形態に係る給気装置１０においても、吸込口２ａから吸込まれた屋外の空気が除塵フィルター４を通過することによって除塵され、その後、前記塩素系除菌液（前記弱アルカリ性の安定型次亜塩素酸ナトリウム溶液）を含浸したフィルター部材５０を通過することによって除菌されて吹出口２ｂから屋内に吹き出される。また、フィルター部材５０内に前記カビや細菌などの微生物が残存したり、増殖したりすることもない。このため、第２実施形態に係る給気装置１０によっても第１実施形態に係る給気装置１と同様の効果が得られる。
【００５２】
特に、第２実施形態に係る給気装置１０においては、フィルター部材５０が回転するため、滴下供給部６２から前記塩素系除菌液が供給される、フィルター部材５０の部位（被供給部位）が変化する。このため、前記塩素系除菌液がフィルター部材５０の全体にバランスよく含浸される。また、第２実施形態に係る給気装置１０において、除塵フィルター４を通過した空気は、前記塩素系除菌液を含浸したフィルター部材５０の送風機３側の部位と吹出口２ｂ側の部位とを通過する。すなわち、除塵フィルター４を通過した空気は、前記塩素系除菌液を含浸したフィルター部材５０を２回通過することになる。このため、除塵フィルター４を通過した空気のより安定かつ効果的な除菌が可能になる。
【００５３】
［第３実施形態］
図４は、第３実施形態に係る給気装置１００の概略構成を示す側面断面図である。第１、第２実施形態に係る給気装置１、１０（図１、図２）と共通する要素については同一の符号を付してその説明は省略する。
【００５４】
第２実施形態に係る給気装置１０と第３実施形態に係る給気装置１００との主な相違点は、第２実施形態に係る給気装置１０における含浸装置６は、フィルター部材５０に前記塩素系除菌液を滴下して供給することによってフィルター部材５０に前記塩素系除菌液を含浸させるよう構成されているのに対し、第３実施形態に係る給気装置１００における含浸装置７０は、フィルター部材５０の一部を前記塩素系除菌液に浸す（浸漬させる）ことによってフィルター部材５０に前記塩素系除菌液を含浸させるようように構成されていることである。
【００５５】
第３実施形態に係る給気装置１００において、含浸装置７０は、前記塩素系除菌液を貯留する除菌液タンク６１と、フィルター部材５０の下部が浸される所定量の前記塩素系除菌液を貯留する除菌液容器７２と、除菌液タンク６１と除菌液容器７２とを接続する配管７３と、配管６３の途中に設けられて除菌液タンク６１内の前記塩素系除菌液を除菌液容器７２に供給する電動ポンプ７４と、を含む。
【００５６】
除菌液容器７２は、上部が開口した容器として形成されており、フィルター部材５０の下部を収容するように筐体２内の下部に配置されている。フィルター部材５０が回転することによって、フィルター部材５０の異なる部分が除菌液容器７２内に位置して除菌液容器７２内の前記塩素系除菌液に浸される。このため、第２実施形態に係る給気装置１０と同様、前記塩素系除菌液がフィルター部材５０の全体にバランスよく含浸される。また、除塵フィルター４を通過した空気が前記塩素系除菌液を含浸したフィルター部材５０を２回通過することになる。
【００５７】
電動ポンプ７４は、予め設定された所定量の前記塩素系除菌液を除菌液容器７２に供給するように構成されている。
【００５８】
そして、第３実施形態に係る給気装置１００の制御部（図示省略）は、前記排気装置の動作に連動して送風機３（の電動モーター３２）、駆動ローラ５１を回転駆動する前記電動モーター及び含浸装置７０の電動ポンプ７４を作動させる。
【００５９】
なお、図示は省略するが、除菌液容器７２には、除菌液容器７２内の前記塩素系除菌液の残量を検知する残量検知センサーが設けられてもよい。この場合、前記制御部は、前記残量が下限閾値以下になると電動ポンプ７４を作動させ、前記残量が上限閾値以上になると電動ポンプ７４を停止させるように構成され得る。
【００６０】
第３実施形態に係る給気装置１００によっても第２実施形態に係る給気装置１０と同様の効果が得られる。
【００６１】
［第４実施形態］
図５は、第４実施形態に係る給気装置１１０の概略構成を示す側面断面図である。第１実施形態に係る給気装置１（図１）と共通する要素については同一の符号を付してその説明は省略する。
【００６２】
第１実施形態に係る給気装置１と第４実施形態に係る給気装置１１０との主な相違点は、第１実施形態に係る給気装置１における含浸装置６は、フィルター部材５に前記塩素系除菌液を滴下して供給することによってフィルター部材５に前記塩素系除菌液を含浸させるよう構成されているのに対し、第４実施形態に係る給気装置１１０における含浸装置８０は、フィルター部材５に向けて前記塩素系除菌液を噴霧することによってフィルター部材５に前記塩素系除菌液を含浸させるように構成されていることである。
【００６３】
第４実施形態に係る給気装置１１０において、含浸装置８０は、前記塩素系除菌液を貯留する除菌液タンク６１と、複数の噴霧ノズル８２と、除菌液タンク６１と複数の噴霧ノズル８２とを接続する配管８３と、配管８３の途中に設けられて除菌液タンク６１内の前記塩素系除菌液を複数の噴霧ノズル８２に圧送する電動ポンプ８４と、を含む。
【００６４】
複数の噴霧ノズル８２は、筐体２の幅方向に間隔をあけて設けられている。複数の噴霧ノズル８２は、それぞれの先端がフィルター部材５の送風機３側の面を向くように、筐体２内の上部に配置されている。電動ポンプ８４によって除菌液タンク６１内の前記塩素系除菌液が複数の噴霧ノズル８２に圧送されると、複数の噴霧ノズル８２がフィルター部材５に向かって前記塩素系除菌液を噴霧する。噴霧された前記塩素系除菌液は直接及び／又は前記空気流に乗ってフィルター部材５に供給され、これによってフィルター部材５に前塩素系除菌液が含浸される。なお、噴霧された前記塩素系除菌液の一部は、フィルター部材５に供給されずに、筐体２内におけるフィルター部材５の上方又は下方を通過して屋内に供給され得る。
【００６５】
そして、第４実施形態に係る給気装置１１０の制御部（図示省略）は、前記排気装置の動作に連動して送風機３（の電動モーター３２）及び含浸装置８０の電動ポンプ８４を作動させる。ここで、第４実施形態に係る給気装置１１０の前記制御部は、含浸装置８０の電動ポンプ８４を断続的に作動させてもよい。
【００６６】
第４実施形態に係る給気装置１１０においても第１実施形態に係る給気装置１と同様の効果が得られる。
【００６７】
なお、第４実施形態に係る給気装置１１０において、平板状のフィルター部材５に代えて、第２及び第３実施形態に係る給気装置１０、１００で用いられている無端ベルト状のフィルター部材５０が用いられてもよい。
【００６８】
また、第４実施形態に係る給気装置１１０においては、噴霧ノズル８２として一流体ノズルが用いられている。しかし、これに限られるものではなく、噴霧ノズル８２として二流体ノズルが用いられてもよい。噴霧ノズル８２として二流体ノズルが用いられた場合、噴霧ノズル８２には、電動ポンプ８４によって除菌液タンク６１内の前記塩素系除菌液が供給されると共に、図示省略のコンプレッサなどによって圧縮空気が供給される。
【００６９】
さらに、複数の噴霧ノズル２８は、フィルター部材５に向かって前記塩素系除菌液を噴霧するように配置されていればよく、複数の噴霧ノズル２８の配置は、図５に示された配置（すなわち、前記空気流の方向における送風機３とフィルター部材５との間であって且つ筐体２内の上部）に限られない。例えば、複数の噴霧ノズル２８の一部が筐体２内の下部に配置されてもよいし、複数の噴霧ノズル２８の全部又は一部が前記空気流の方向におけるフィルター部材５とルーバー９との間に配置されてもよい。
【００７０】
さらにまた、図示は省略するが、第４実施形態に係る給気装置１１０において、含浸装置８０は、複数の噴霧ノズル８２に代えて、超音波噴霧器を有してもよい。この場合、前記超音波噴霧器は、電動ポンプ８４によって供給される前記塩素系除菌液を貯留する貯留部を有し、当該貯留部に貯留された前記塩素系除菌液を超音波振動子によって霧化し、霧化された前記塩素系除菌液を筐体２の幅方向における複数箇所で放出するように構成され得る。好ましくは、前記超音波噴霧器は、送風機３とフィルター部材５（又はフィルター部材５０）との間の空間に前記塩素系除菌液を噴霧するように筐体２内の下部に配置され得る。
【００７１】
以上、本発明の実施形態について説明したが、本発明は上述の実施形態に限定されるものではなく、本発明の技術的思想に基づいて更なる変形や変更が可能である。
【符号の説明】
【００７２】
１，１０，１００，１１０…給気装置、２…筐体、２ａ…吸込口、２ｂ…吹出口、３…送風機、４…除塵フィルター、５，５０…フィルター部材、６…含浸装置、４１…粗塵フィルター、４２…微細塵フィルター、５１…駆動ローラ、５２…従動ローラ、６１…除菌液タンク、６２…滴下供給部、６３…配管、６４…電動ポンプ、７０…含浸装置、７２…除菌液容器、７３…配管、７４…電動ポンプ、８０…含浸装置、８２…噴霧ノズル（噴霧部）、８３…配管、８４…電動ポンプ
【図１】
2020067245.tif 000003
【図２】
2020067245.tif 000004
【図３】
2020067245.tif 000005
【図４】
2020067245.tif 000006
【図５】
2020067245.tif 000007